(57)【要約】      （修正有）【課題】様々な情報を所定のシナリオに沿ってユーザに提示しつつ本体の状態変化をユーザに的確に通知することができる情報処理装置を提供する。【解決手段】情報取得部４２は、外部および自機の記憶媒体の少なくとも一方から所定のシナリオに応じて情報を取得する。情報抽出部４３は取得された情報から所定の情報を抽出し、情報提示部４４は所定の情報を音声読み上げにより順次出力する。状態変化通知部４７は、本体の状態変化があると、その旨の情報をユーザに音を介して通知するためのデータを情報提示部４４に与える。情報提示制御部４１は、情報提示部４４を制御することにより所定のシナリオに応じて所定の情報の音声読み上げによる出力順序を制御する。また、情報提示制御部４１は、状態変化通知部４７を制御することにより、状態変化があった旨の情報を情報提示部４４に音を介して出力させる。【選択図】図４
2012003141.tif 000002
【特許請求の範囲】
【請求項１】
外部の記憶媒体および自機の記憶媒体の少なくとも一方から所定のシナリオに応じて情報を取得する情報取得部と、
前記情報取得部により取得された情報から所定の情報を抽出する情報抽出部と、
前記所定の情報を音声読み上げにより出力する情報提示部と、
本体の状態変化があると、前記状態変化があった旨の情報をユーザに音を介して通知するためのデータを前記情報提示部に与える状態変化通知部と、
前記情報提示部を制御することにより、前記所定のシナリオに応じて前記所定の情報の音声読み上げによる出力順序を制御するとともに、前記本体の状態変化があると前記状態変化通知部に対し前記状態変化が検出された旨の情報を与えつつ前記状態変化通知部を制御することにより、前記データにもとづき前記状態変化があった旨の情報を前記情報提示部に音を介して出力させる情報提示制御部と、
を備えたことを特徴とする情報処理装置。
【請求項２】
前記状態変化通知部は、
前記情報提示制御部に制御され、前記情報提示制御部から前記状態変化が検出された旨の情報を受けると、前記状態変化があった旨の情報をユーザに音を介して通知するための所定の固有データを前記情報提示部に与える固有データ挿入部、
を有し、
前記情報提示制御部は、
前記所定の情報の音声読み上げ出力に重ならないよう前記所定の情報が音声読み上げ出力される合間に前記所定の固有データを音で出力するよう前記情報提示部および前記固有データ挿入部を制御する、
請求項１記載の情報処理装置。
【請求項３】
前記所定の固有データと前記状態変化の内容とを関連付けて記憶した記憶部と、
前記本体の状態変化を監視し、前記状態変化を検出するとその旨の情報および前記状態変化の内容を前記情報提示制御部に与える状態監視部と、
をさらに備え、
前記固有データ挿入部は、
前記情報提示制御部から前記状態変化が検出された旨の情報を受けると、検出された前記状態変化の内容に関連付けられて前記記憶部に記憶された前記所定の固有データを前記情報提示部に与える、
請求項２記載の情報処理装置。
【請求項４】
前記状態変化通知部は、
前記情報提示制御部から前記状態変化が検出された旨の情報を受けると、前記音声読み上げのパラメータを変更するよう前記情報提示部に指示する音声パラメータ変更指示部、
を有し、
前記情報提示制御部は、
前記音声パラメータ変更指示部を制御することにより、前記音声読み上げのパラメータの変更指示を前記情報提示部に出力させ、
前記情報提示部は、
前記音声パラメータ変更指示部から前記音声読み上げのパラメータの変更指示を受けると、前記変更指示に従って前記所定の情報の音声読み上げのパラメータを変更する、
請求項１ないし３のいずれか１項に記載の情報処理装置。
【請求項５】
前記音声パラメータ変更指示部は、
前記情報提示制御部から前記状態変化が検出された旨の情報を受けると、前記音声読み上げのパラメータのうち話者および話速の少なくとも一方を変更するよう前記情報提示部に指示する、
請求項４記載の情報処理装置。
【請求項６】
前記状態監視部は、
少なくとも、前記本体に対する音声着信、前記本体に対する電子メール着信および前記本体の電池残量の所定残量以下への変化のいずれかを検出すると前記状態変化が検出された旨の情報を出力する、
請求項３ないし５のいずれか１項に記載の情報処理装置。
【請求項７】
所定の時間の経過後にタイムアウト信号を出力するタイマ、
をさらに備え、
前記状態監視部は、
前記タイマが前記タイムアウト信号を出力すると前記状態変化が検出された旨の情報を出力する、
請求項３ないし６のいずれか１項に記載の情報処理装置。
【発明の詳細な説明】
【技術分野】
【０００１】
本発明の実施形態は、情報処理装置に関する。
【背景技術】
【０００２】
パーソナルコンピュータや携帯電話機などの情報処理装置には、様々な情報を所定の手順（台本、シナリオ）に沿ってユーザに提示することができるものがある。この様々な情報には、ネットワークから取得可能なウェブページやフィードなどの情報や、自機の記憶媒体に記憶された情報が含まれる。
【０００３】
この種の情報提示技術を適用した情報処理装置は、様々な情報を映像や音声に変換しつつ所定の手順に沿ってユーザに提示するようになっている。このため、ユーザは能動的に操作することなくこれらの様々な情報に接することができる。
【先行技術文献】
【特許文献】
【０００４】
【特許文献１】特開２００９−２３９４７９号公報
【発明の概要】
【発明が解決しようとする課題】
【０００５】
ところで、パーソナルコンピュータや携帯電話機などの情報処理装置は、情報提示技術によるユーザへの情報提示時においても、バッテリ駆動時におけるバッテリ残量の変化や電子メールの着信などの状態変化を起こす場合がある。
【０００６】
しかし、この種の情報提示技術を利用するユーザは、受動的に様々な情報に接することができるために、情報処理装置に対して意識を集中していないことがある。このため、ユーザは情報処理装置の状態の変化に気付くことができない場合がある。
【課題を解決するための手段】
【０００７】
本発明の一実施形態に係る情報処理装置は、上述した課題を解決するために、情報提示制御部と、情報取得部と、情報抽出部と、情報提示部と、状態変化通知部とを備える。情報取得部は、外部および自機の記憶媒体の少なくとも一方から所定のシナリオに応じて情報を取得する。情報抽出部は、取得された情報から所定の情報を抽出する。情報提示部は、所定の情報を音声読み上げにより順次出力する。状態変化通知部は、本体の状態変化があると、状態変化があった旨の情報をユーザに音を介して通知するためのデータを情報提示部に与える。情報提示制御部は、情報提示部を制御することにより所定のシナリオに応じて所定の情報の音声読み上げによる出力順序を制御する。また、情報提示制御部は、本体の状態変化があると状態変化通知部に対し状態変化が検出された旨の情報を与えつつ状態変化通知部を制御することにより、状態変化通知部から受けたデータにもとづき状態変化があった旨の情報を情報提示部に音を介して出力させる。
【図面の簡単な説明】
【０００８】
【図１】本発明の一実施形態に係る情報処理装置を含むネットワークシステムの一例を示す全体図。
【図２】本発明の一実施形態に係る携帯電話機の外観の一例を示し、（ａ）は正面斜視図、（ｂ）は背面斜視図。
【図３】第１実施形態に係る携帯電話機の内部構成例を概略的に示すブロック図。
【図４】図３に示す主制御部のＣＰＵによる機能実現部の構成例を示す概略的なブロック図。
【図５】第１実施形態に係る携帯電話機の主制御部により、様々な情報を所定のシナリオに沿ってユーザに提示しつつ本体の状態変化をユーザに音を介して的確に通知する際の手順を示すフローチャート。
【図６】第１実施形態に係る提示制御処理の手順を示すサブルーチンフローチャート。
【図７】第２実施形態に係る携帯電話機の内部構成例を概略的に示すブロック図。
【図８】第２実施形態に係る提示制御処理の手順を示すサブルーチンフローチャート。
【発明を実施するための形態】
【０００９】
本発明に係る情報処理装置の実施の形態について、添付図面を参照して説明する。
【００１０】
本発明の一実施形態に係る情報処理装置は、ユーザが能動的な操作をせずとも、外部のウェブサーバ上の情報や自機の記憶媒体に記憶された情報をユーザに対して少なくとも音声読み上げにより提示するものである。音声読み上げにおいては、情報はユーザに対し逐次的（シーケンシャル）に提示される。
【００１１】
情報処理装置は、所定のシナリオに沿って外部のウェブサーバ上の情報や自機の記憶媒体に記憶された情報を映像や音声に変換して提示する。なお、シナリオは、スクリプトなどで記述されたものでもよいし、装置固有の固定のシーケンスでもよい。
【００１２】
（第１の実施形態）
図１は、本発明の一実施形態に係る情報処理装置を含むネットワークシステムの一例を示す全体図である。なお、本実施形態では、本発明に係る情報処理装置として、携帯電話機を用いる場合の一例について示す。また、情報処理装置は、データの音声出力機能を有する装置であれば携帯電話機に限られず、たとえばＰＤＡ（Personal Digital Assistant）、パーソナルコンピュータ、テレビジョン受像装置、携帯型ゲーム機、携帯型音楽再生機、携帯型動画再生機などでもよい。
【００１３】
なお、以下の説明において、「音声」とは、聞き手に人の声として認識される音によりテキストデータを読み上げた音をいう。また、「音」は、「音声」を含むほか、「音楽」や「効果音（ビープ音など）」などを含むものとする。
【００１４】
携帯電話機１０は、図１に示すように、電話網１０１に収容される基地局１０２を介してインターネット網１０３に接続される。インターネット網１０３にはサーバ群１１０が接続される。電話網１０１は、図示しないゲートウェイサーバを介してインターネット網１０３に接続される。
【００１５】
また、携帯電話機１０は、携帯電話機１０の周辺の無線ＬＡＮ（Local Area Network）アクセスポイント（以下、ＡＰという）１０４を介してインターネット網１０３に接続される。携帯電話機１０は、ＩＥＥＥ８０２．１１シリーズ（ＩＥＥＥ８０２．１１ａ／ｂ／ｇ／ｊ／ｎなど）の各方式に従ってＡＰ１０４や他の無線ＬＡＮ接続可能な情報処理装置などの親機と無線ＬＡＮ接続を確立することができる。たとえば、ユーザが自宅にいる場合は、携帯電話機１０は自宅のＡＰ１０４と無線ＬＡＮ接続を確立することができる。
【００１６】
サーバ群１１０は、携帯電話機１０により閲覧されるウェブページを記憶したウェブサーバ１１１や、携帯電話機１０による電子メールの送受信を仲介するためのメールサーバ１１２などにより構成される。
【００１７】
図２は、携帯電話機１０の外観の一例を示す図である。図２（ａ）には携帯電話機１０の正面斜視図を、（ｂ）には背面斜視図を、それぞれ示した。
【００１８】
携帯電話機１０の正面の表面上には、タッチパネル１１、レシーバ１２、マイクロフォン１４およびタッチキー１５が設けられる。スピーカ１３は、携帯電話機１０の背面に設けられる。また、携帯電話機１０の側面の一部には、ハードキー１６および音出力端子１７が設けられる。また、周辺デバイスとしてのカメラ３１が背面に設けられる。
【００１９】
図３は、本実施形態に係る携帯電話機１０の内部構成例を概略的に示すブロック図である。図３に示すように、携帯電話機１０は、さらに移動体通信用アンテナ２１、移動体通信部２２、無線ＬＡＮ通信用アンテナ２３、無線ＬＡＮ通信部２４、記憶部２５、主制御部２６およびタイマ２７を少なくとも有するほか、周辺デバイスとして、カメラ３１や、音出力端子１７を含む外部インターフェース３２などを有する。
【００２０】
タッチパネル１１は、表示部２８と、表示部２８の近傍に設けられたタッチセンサにより構成された入力部２９と有する。
【００２１】
表示部２８は、たとえば液晶ディスプレイや有機ＥＬ（Electro Luminescence）ディスプレイなどの一般的な表示出力装置により構成される。
【００２２】
表示部２８は、主制御部２６に制御されて、シナリオに沿って外部の記憶媒体としてのウェブサーバ１１１や自機の記憶媒体としての記憶部２５に記憶された情報を表示するほか、携帯電話機１０を操作するための情報や携帯電話機１０を操作するための複数のキー（ソフトキー）などを表示する。一方、タッチセンサにより構成された入力部２９は、ユーザによるタッチセンサ上の指示位置の情報を携帯電話機１０の主制御部２６に与える。タッチセンサとしては、静電容量式センサや抵抗膜式（感圧式）センサ、電磁誘導式センサなど、従来各種のものが知られており、これらのうち任意のものを使用することが可能である。
【００２３】
レシーバ１２およびスピーカ１３は、受話音声をはじめとした各種の情報に対応した音を出力する。スピーカ１３は、レシーバ１２に比べ、より大きな音を出力することが可能に構成される。また、マイクロフォン１４は、ユーザによって入力された音声をデジタル音声信号に変換する。
【００２４】
タッチキー１５は、たとえば静電容量方式のタッチセンサにより構成され、キーに対するユーザの接触操作に応じた信号を出力する。
【００２５】
ハードキー１６は、ユーザにより押下されるとこの押下に応じた信号を主制御部２６に与える。主制御部２６は、ハードキー１６が押下されると、押下されてから開放されるまでの時間に応じて携帯電話機１０を制御することができる。たとえば、主制御部２６は、ハードキー１６が短押しされるといわゆるクリア機能を実現し、長押しされると携帯電話機１０全体の電源のＯＮまたはＯＦＦを行い、超長押しされると携帯電話機１０をリセットする。
【００２６】
音出力端子１７は、ステレオフォン、イヤフォンおよびヘッドセットその他の外部のヘッドフォン１２０のプラグを接続するための端子である。音声出力端子１７にヘッドフォン１２０のプラグが接続されると、主制御部２６は、音出力端子１７を介してヘッドフォン１２０に対して受話音声をはじめとした各種の情報に対応した音を出力する。ユーザは、ヘッドフォン１２０を利用することにより、たとえば洋服のポケットに携帯電話機１０を入れたままでも、様々な情報の音声読み上げによる提示を楽しむことができる。
【００２７】
移動体通信部２２は、主制御部２６に制御されて、移動体通信用アンテナ２１および基地局１０２を介して電話網１０１やインターネット網１０３と接続される。移動体通信部２２は、移動体用プロトコルにもとづく無線通信により基地局１０２とデータの送受信を行う。たとえば、移動体通信部２２は、電話網１０１を介した音声データの送受信のほか、インターネット網１０３を介してサーバ群１１０とデータの送受信を行うことができる。なお、本発明に係る情報処理装置は、サーバ群１１０とデータの送受信可能に構成されればよく、次に説明する無線ＬＡＮ通信用アンテナ２３および無線ＬＡＮ通信部２４を備える場合は移動体通信用アンテナ２１および移動体通信部２２を備えずともよい。
【００２８】
無線ＬＡＮ通信部２４は、主制御部２６に制御されて、無線ＬＡＮ通信用アンテナ２３を介してＡＰ１０４と無線ＬＡＮを構築する。無線ＬＡＮ通信部２４は、インターネットプロトコル（ＩＰ）にもとづく無線通信によりＡＰ１０４と無線ＬＡＮ接続されてＡＰ１０４とデータの送受信を行う。たとえば、無線ＬＡＮ通信部２４は、インターネット網１０３を介してサーバ群１１０とデータの送受信を行うことができる。
【００２９】
記憶部２５は、データの書き換えが可能な不揮発性のメモリであり、たとえば電子メールデータや音楽データなどの各種データを記憶している。また、記憶部２５は、本体（携帯電話機１０）の状態変化があった旨の情報をユーザに音を介して通知するためのデータ（以下、状態変化通知用データという）を記憶する。状態変化通知用データは、少なくとも状態変化があった旨の情報を含み、状態変化の内容を含んでもよい。
【００３０】
本実施形態では、記憶部２５が状態変化通知用データとして所定の固有データを記憶する場合の例について説明する。
【００３１】
携帯電話機１０の状態変化としては、たとえば、音声着信や電子メール着信のほか、バッテリ残量の所定残量以下への変化、スケジュール時刻やアラーム時刻の到来などが挙げられる。
【００３２】
ここで、所定の固有データとは、主制御部２６が音として出力可能なデータを含むデータであって、状態変化があった旨の情報を提示するためのデータである。所定の固有データは、状態変化の内容を提示するためのデータであることが好ましい。
【００３３】
本実施形態では、記憶部２５が、携帯電話機１０の状態変化の内容と、各固有データと、を関連付けて記憶している場合の例について説明する。
【００３４】
たとえば、電子メールの着信という状態変化の内容に対しては、あらかじめ設定された電子メール着信時に再生される音楽（メール着信音）のデータや「電子メールを着信しました」といったテキストデータなどが固有データとして関連付けられる。また、たとえばアラーム時刻の到来という状態変化の内容に対しては、アラーム音のデータや「アラーム時刻になりました」といったテキストデータなどが固有データとして関連付けられる。テキストデータは、音声読み上げ機能により音として出力可能である。
【００３５】
主制御部２６は、ＣＰＵ、ＲＡＭ、ＲＯＭなどにより構成され、ＲＯＭ内に記憶されたプログラムに従って、携帯電話機１０の処理動作を制御する。ＣＰＵは、ＲＯＭ内に記憶された情報提示プログラムおよびプログラムの実行のために必要なデータをＲＡＭへロードし、情報提示プログラムに従って、様々な情報を所定のシナリオに沿ってユーザに提示しつつ本体の状態変化をユーザに音を介して的確に通知する。
【００３６】
ＲＡＭは、ＣＰＵが実行するプログラムおよびデータを一時的に格納するワークエリアを提供する。
【００３７】
ＲＯＭは、携帯電話機１０の起動プログラム、情報提示プログラムや、これらのプログラムを実行するために必要な各種データを記憶する。
【００３８】
なお、ＲＯＭは、磁気的もしくは光学的記録媒体または半導体メモリなどの、ＣＰＵにより読み取り可能な記録媒体を含んだ構成を有し、ＲＯＭ内のプログラムおよびデータの一部または全部は電子ネットワークを介してダウンロードされるように構成してもよい。
【００３９】
タイマ２７は、主制御部２６により制御され、所定の時間をセットされて起動される。たとえば、タイマ２７は、所定の時間をセットされて起動されて計時開始後に所定の時間が経過すると、主制御部２６に対してタイムアウト信号を出力し計時を停止する。タイマ２７は、ユーザにより設定されたスケジュール時刻やアラーム時刻の到来を検出するためなどに用いられる。
【００４０】
図４は、図３に示す主制御部２６のＣＰＵによる機能実現部の構成例を示す概略的なブロック図である。なお、この機能実現部は、ＣＰＵを用いることなく回路などのハードウエアロジックによって構成してもよい。
【００４１】
ＣＰＵは、情報提示プログラムによって、少なくとも情報提示制御部４１、情報取得部４２、情報抽出部４３、情報提示部４４、音声合成部４５、状態監視部４６、状態変化通知部４７として機能する。
【００４２】
情報提示制御部４１は、情報取得部４２、情報抽出部４３および情報提示部４４を制御することにより、所定のシナリオに応じて提示すべき情報の音声読み上げによる出力順序を制御する。
【００４３】
また、情報提示制御部４１は、状態監視部４６から本体の状態変化を検出した旨の情報を受けると、状態変化通知部４７に対して状態変化が検出された旨の情報を与える。さらに、情報提示制御部４１は、状態変化通知部４７を制御することにより、状態変化通知用データ（本体の状態変化があった旨の情報をユーザに音を介して通知するためのデータ）を情報提示部４４に出力させる。
【００４４】
情報取得部４２は、情報提示制御部４１に制御されて、所定のシナリオに応じて様々な情報を取得する。様々な情報には、ウェブサーバ１１１のウェブページ（ＲＳＳやＡｔｏｍ形式のフィードを含む）や、記憶部２５に記憶されたメールデータおよびスケジュールデータなどが含まれる。
【００４５】
情報抽出部４３は、情報提示制御部４１に制御されて、情報取得部４２により取得された情報から所定の情報を抽出する。所定の情報は、情報取得部４２により取得された情報のうち、ユーザに提示する際に必要となる部分の情報を意味する。ユーザに提示する際に不要な情報は所定の情報に含まれず、情報抽出部４３により省かれる。たとえば、情報取得部４２によりウェブページの情報が取得された場合、情報抽出部４３は、ＨＴＭＬ（Hyper Text Markup Language）タグや、ＨＴＭＬアンカー内のＵＲＬ（Uniform Resource Locator）データ等を省くことにより所定の情報を抽出する。
【００４６】
情報提示部４４は、情報提示制御部４１に制御されて、テキストデータにもとづいて音声読み上げを行う音声合成部４５を有する。情報提示部４４は、情報抽出部４３により抽出された所定の情報を、少なくとも音声読み上げにより順次スピーカ１３や音出力端子１７に出力する。なお、所定の情報は、音声読み上げのみによって出力してもよいし、音声読み上げの合間や音声読み上げの最中に音楽を再生してもよいし、音声読み上げとともに所定の情報を画像によって表示部２８に出力してもよい。
【００４７】
また、情報提示部４４は、情報提示制御部４１に制御されて、状態変化がある場合は、その旨をユーザに音を介して通知する。
【００４８】
音声合成部４５は、あらかじめ設定された音声読み上げパラメータにもとづいてテキストデータの音声読み上げを行う。
【００４９】
なお、テキストデータの音声読み上げのパラメータには、話者（声色）および話速が含まれる。音声読み上げのパラメータを変更することにより、聞き手に認識される読み上げ音声の感情のほか、性別を変更することも可能である。
【００５０】
情報取得部４２による情報の取得および情報抽出部４３による所定の情報の抽出は、最終的な提示順序によらず実行されても構わない。一方、情報提示部４４による所定の情報の音声読み上げは、逐次的（シーケンシャル）に行う必要がある。そこで、情報提示制御部４１は、情報取得部４２、情報抽出部４３および情報提示部４４を制御することにより、所定の情報の音声読み上げによる出力順序を制御する。
【００５１】
なお、情報提示制御部４１は、情報提示部４４の音声読み上げによる出力がシーケンシャルとなるように情報取得部４２、情報抽出部４３および情報提示部４４を制御すればよく、所定の情報を情報提示部４４や記憶部２５、ＲＡＭの所要のワークエリアなどに蓄積させておいてもよい。また、たとえば情報提示部４４が入力された情報を順次出力するよう構成される場合は、情報提示制御部４１は、情報抽出部４３から情報提示部４４に対して所定の情報が所定のシナリオに沿ってシーケンシャルに出力されるよう、情報抽出部４３を制御するとよい。
【００５２】
ところで、パーソナルコンピュータや携帯電話機などの情報処理装置は、バッテリ駆動時におけるバッテリ残量の変化や電子メールの着信などの状態変化を起こす場合がある。このため、ユーザが画面表示情報を注視していない場合を考慮し、状態変化があった場合は状態変化があった旨の情報をユーザに「音」により通知するようにすることが望ましい。
【００５３】
しかし、所定の情報の読み上げ音声と通知される音とが重畳すると、ユーザは通知される音を聞き取りにくくなり、状態変化があったことに気付き難くなってしまう。このため、音により通知する際には、音声合成部４５により読み上げられた音声と通知される音とが重畳しないことが好ましい。
【００５４】
そこで、本実施形態に係る携帯電話機１０は、音声読み上げ中に状態変化があると、所定の情報の音声読み上げ出力に重ならないように、所定の情報を音声読み上げ出力する合間に状態変化通知用データを音で出力する。
【００５５】
状態監視部４６は、携帯電話機１０の状態変化を監視し、状態変化を検出すると少なくともその旨の情報を情報提示制御部４１に与える。以下の説明では、状態監視部４６が状態変化を検出した旨の情報および状態変化の内容の情報を情報提示制御部４１に与える場合の例について示す。
【００５６】
状態変化通知部４７は、情報提示制御部４１から状態変化が検出された旨の情報および状態変化の内容の情報を受ける。また、状態変化通知部４７は、情報提示制御部４１に制御されて、状態変化通知用データを情報提示部４４に与える。
【００５７】
本実施形態では、状態変化通知部４７が、状態変化通知用データとして状態変化の内容に応じた固有データをあつかう場合の例について説明する。
【００５８】
状態変化通知部４７は、固有データ取得部５１および固有データ挿入部５２を有する。
【００５９】
固有データ取得部５１は、情報提示制御部４１から状態変化が検出された旨の情報を受けると、この状態変化の内容で記憶部２５を検索し、状態変化の内容に関連付けられた固有データを取得する。
【００６０】
固有データ挿入部５２は、情報提示制御部４１に制御されて、固有データ取得部５１が取得した所定の固有データを情報提示部４４に与える。
【００６１】
情報提示制御部４１は、所定の情報の音声読み上げ出力に重ならないように、所定の情報を音声読み上げ出力する合間に状態変化通知用データを音で出力するよう、情報取得部４２、情報抽出部４３および情報提示部４４を制御する
たとえば、情報提示部４４が入力された情報を順次出力するよう構成されている場合を考える。この場合、情報提示制御部４１は、上述のとおり、情報抽出部４３から情報提示部４４に対して所定の情報が所定のシナリオに沿ってシーケンシャルに出力されるよう情報抽出部４３を制御するとよい。
【００６２】
この場合、情報提示制御部４１は、情報抽出部４３から情報提示部４４に入力される所定の情報の合間に固有データが挿入される（所定の情報に固有データが割って入る）ように、すなわち、所定の情報の音声読み上げ出力が一旦停止されて固有データが音により出力され、その後再び所定の情報の音声読み上げ出力が行われるように、情報抽出部４３および固有データ挿入部５２を制御する。情報提示部４４は、入力された固有データを音により出力する。たとえば、固有データがテキストデータである場合は、情報提示部４４はこのテキストデータを音声読み上げ出力する。
【００６３】
また、情報提示制御部４１は、状態変化検出後、必ずしも直ちに固有データを情報提示部４４に音により出力させる必要はない。たとえば、情報提示部４４が所定の情報を音声読み上げしている最中であれば、所定の情報の所定の単位の読み上げが終わったところで所定の固有データが音により出力されるよう、情報提示部４４を制御してもよい。情報提示部４４が入力された情報を順次出力するよう構成されている場合は、情報提示制御部は、情報提示部４４および状態変化通知部４７を制御することにより所定の固有データの情報提示部４４に対する入力タイミングを制御する。
【００６４】
所定の単位としては、たとえば所定の情報がニュースであれば、１つのニュース全部や、１つのニュース内の１つのパラグラフ、または所定数の文（たとえば１文）などを用いることができる。
【００６５】
次に、本実施形態に係る携帯電話機１０の動作の一例について説明する。
【００６６】
図５は、第１実施形態に係る携帯電話機１０の主制御部２６により、様々な情報を所定のシナリオに沿ってユーザに提示しつつ本体の状態変化をユーザに音を介して的確に通知する際の手順を示すフローチャートである。図５において、Ｓに数字を付した符号はフローチャートの各ステップを示す。
【００６７】
この手順は、情報提示制御部４１が所定のシナリオを取得した時点でスタートとなる。
【００６８】
まず、ステップＳ１において、情報取得部４２は、情報提示制御部４１に制御されて、所定のシナリオに応じてウェブサーバ１１１のウェブページ（ＲＳＳやＡｔｏｍ形式のフィードを含む）や、記憶部２５に記憶されたメールデータおよびスケジュールデータなどのいずれかを取得する。
【００６９】
次に、ステップＳ２において、情報抽出部４３は、情報提示制御部４１に制御されて、情報取得部４２により取得された情報から、ユーザに提示する際に必要となる部分である所定の情報を抽出する。
【００７０】
そして、ステップＳ３において、主制御部２６は、所定のシナリオに応じて提示すべき情報を音声読み上げにより出力するとともに、本体の状態変化があると、状態変化があった旨の情報をユーザに音を介して通知する処理（提示制御処理）を実行する。
【００７１】
なお、情報取得部４２による情報の取得および情報抽出部４３による所定の情報の抽出は、最終的な提示順序によらず実行されても構わない。したがって、ステップＳ１およびステップＳ２は並列的に実行されてもよい。また、ステップＳ１およびステップＳ２を繰り返し実行した後にステップＳ３を実行してもよい。
【００７２】
図６は、本実施形態に係る提示制御処理の手順を示すサブルーチンフローチャートである。この提示制御処理は、図５のステップＳ３で主制御部２６により実行される。
【００７３】
なお、以下の説明では、情報提示制御部４１が所定の情報の所定の単位（たとえば１文）の音声読み上げごとに状態変化があるか否かを判定する場合の例について示す。
【００７４】
ステップＳ３０１において、情報提示制御部４１は、状態監視部４６から携帯電話機１０の状態変化を検出した旨の情報を受けたか否かを判定する。状態変化を検出した旨の情報を受けていない場合は、ステップＳ３０２に進む。一方、状態変化を検出した旨の情報を受けた場合は、ステップＳ３０３に進む。
【００７５】
次に、ステップＳ３０２において、情報提示部４４は、情報提示制御部４１に制御されて、情報抽出部４３が出力した所定の情報を音声読み上げによりシーケンシャルにスピーカ１３や音出力端子１７に出力する。音声読み上げは、あらかじめ設定された音声読み上げパラメータにもとづいて行われる。所定の情報の所定の単位（たとえば１文）の読み上げが終わると、ステップＳ３０３に進む。
【００７６】
次に、ステップＳ３０３において、情報提示制御部４１は、既に情報提示部４４に入力された所定の情報の全てが提示されたか否かを判定する。所定の情報の全てが提示された場合、一連の手順は終了となる。一方、所定の情報に未提示の情報がある場合は、ステップＳ３０１に戻る。
【００７７】
他方、ステップＳ３０１で状態変化を検出したと判定されると、ステップＳ３０４において、固有データ取得部５１は、情報提示制御部４１から状態変化が検出された旨の情報および状態変化の内容の情報を受けて記憶部２５を検索し、状態変化の内容に関連付けられた固有データを取得する。
【００７８】
次に、ステップＳ３０５において、固有データ挿入部５２は、情報提示制御部４１に制御されて、固有データ取得部５１が取得した所定の固有データを情報提示部４４に与える。
【００７９】
次に、ステップＳ３０６において、情報提示部４４は、情報提示制御部４１に制御されて、固有データを音により出力し、ステップＳ３０３に進む。たとえば、状態変化の内容が電子メール着信であり、電子メール着信に関連付けられて記憶部２５に記憶された固有データが音楽（メール着信音）のデータおよび「電子メールを着信しました」といったテキストデータである場合、情報提示部４４は、たとえばメール着信音を出力しつつテキストデータを音声読み上げ出力する。
【００８０】
以上の手順により、所定のシナリオに応じて提示すべき情報を音声読み上げにより出力するとともに、本体の状態変化があると、状態変化があった旨の情報をユーザに音を介して通知することができる。
【００８１】
本実施形態に係る携帯電話機１０は、様々な情報を所定のシナリオに沿ってユーザに提示しつつ本体の状態変化をユーザに音を介して通知することができる。このため、たとえばユーザが洋服のポケットに携帯電話機１０を入れたまま情報の音声読み上げによる提示を楽しんでいる場合などのユーザが画面を注視していない場合であっても、音を介して的確に状態変化があった旨の情報を通知することができる。
【００８２】
また、本実施形態に係る情報処理装置１０は、状態変化の内容に関連付けられた所定の固有データを音により出力することができる。したがって、ユーザはこの音を聞くことにより、容易に状態変化の内容を知ることができる。
【００８３】
さらに、本実施形態に係る情報処理装置１０は、固有データを音で出力する処理を、所定の情報の音声読み上げ出力に重ならないように、所定の情報を音声読み上げ出力する合間に実行する。このため、所定の情報の読み上げ音声と通知される音とが重畳する場合に比べ、極めて的確にユーザに状態変化があった旨の情報を通知することができる。
【００８４】
（第２の実施形態）
次に、本発明に係る情報処理装置の第２実施形態について説明する。
【００８５】
第２実施形態に係る携帯電話機１０Ａは、音声読み上げ中に状態変化があると、所定の情報の音声読み上げパラメータ（話者や話速など）を変更することで状態変化があった旨の情報をユーザに音を介して通知する。ユーザは、音声読み上げの話者や話速などが変化することにより、状態変化があったことを認識することができる。
【００８６】
図７は、第２実施形態に係る携帯電話機１０Ａの内部構成例を概略的に示すブロック図である。
【００８７】
この第２実施形態に示す携帯電話機１０Ａは、状態変化通知部４７Ａが、音声パラメータ変更指示部６１を有し、状態変化通知用データ（状態変化があった旨の情報をユーザに音を介して通知するためのデータ）が音声読み上げのパラメータの変更指示データである点で第１実施形態に係る携帯電話機１０と異なる。他の構成および作用については他の構成および作用については図１に示す携帯電話機１０と実質的に異ならないため、同じ構成には同一符号を付して説明を省略する。
【００８８】
状態変化通知用データとしての音声読み上げパラメータの変更指示データは、音声合成部４５に対して現在の音声読み上げパラメータから所定の音声読み上げパラメータへ変更するよう指示するためのデータであって、たとえば記憶部２５に記憶される。音声読み上げパラメータは、複数の異なる話者や話速などの１つを指定するものであり、状態変化の内容に応じて所定のパラメータを関連付けておくことが可能である。本実施形態においては、状態変化の内容と所定の音声読み上げパラメータの変更指示データとが関連付けられて記憶部２５に記憶されている場合の例について説明する。
【００８９】
情報提示制御部４１Ａは、状態変化通知部４７Ａを制御することにより、音声読み上げパラメータの変更指示データを情報提示部４４に出力させる。
【００９０】
状態変化通知部４７Ａの音声パラメータ変更指示部６１は、情報提示制御部４１Ａから状態変化が検出された旨の情報および状態変化の内容の情報を受ける。また、音声パラメータ変更指示部６１は、情報提示制御部４１Ａに制御されて、音声読み上げパラメータの変更指示データ（状態変化通知用データ）を情報提示部４４に与える。
【００９１】
情報提示部４４の音声合成部４５は、音声読み上げパラメータの変更指示データを音声パラメータ変更指示部６１から受けると、変更指示の内容に従って音声読み上げパラメータを変更する。
【００９２】
図８は、第２実施形態に係る提示制御処理の手順を示すサブルーチンフローチャートである。この提示制御処理は、図５のステップＳ３で主制御部２６Ａにより実行される。図６と同等のステップには同一符号を付し、重複する説明を省略する。
【００９３】
ステップＳ３０１で状態変化を検出したと判定されると、ステップＳ３１１において、音声パラメータ変更指示部６１は、情報提示制御部４１Ａから状態変化が検出された旨の情報を受けて状態変化の内容に関連付けられた音声読み上げパラメータの変更指示データを取得し、情報提示部４４の音声合成部４５に与える。
【００９４】
そして、ステップＳ３０２において、情報提示部４４は、情報提示制御部４１Ａに制御されて、あらかじめ設定された音声読み上げパラメータまたは音声パラメータ変更指示部６１による変更指示に従って変更した音声読み上げパラメータにもとづいて、パラメータ情報抽出部４３が出力した所定の情報を音声読み上げによりシーケンシャルにスピーカ１３や音出力端子１７に出力する。
【００９５】
以上の手順によっても、所定のシナリオに応じて提示すべき情報を音声読み上げにより出力するとともに、本体の状態変化があると、状態変化があった旨の情報をユーザに音を介して通知することができる。
【００９６】
本実施形態に係る携帯電話機１０Ａは、第１実施形態に係る携帯電話機１０と同様に、様々な情報を所定のシナリオに沿ってユーザに提示しつつ本体の状態変化をユーザに音を介して通知することができる。このため、たとえばユーザが洋服のポケットに携帯電話機１０Ａを入れたまま情報の音声読み上げによる提示を楽しんでいる場合などのユーザが画面を注視していない場合であっても、音を介して的確に状態変化があった旨の情報を通知することができる。
【００９７】
また、本実施形態に係る携帯電話機１０Ａは、音声読み上げ中に状態変化があると、音声読み上げパラメータを変更することができる。このため、音声読み上げされる情報の提示を受けているユーザは、たとえば話速が突然変化したり話者の性別が変化したりすることで、直感的かつ的確に状態変化があった旨を認識することができる。また、音声読み上げパラメータの変更は、音声読み上げを中断することなく実行することができる。
【００９８】
さらに、状態変化の内容に応じて所定の音声読み上げパラメータに変更する場合は、本実施形態に係る携帯電話機１０Ａは、状態変化の内容を変更されたパラメータ種別により容易にユーザに通知することができる。
【００９９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【０１００】
たとえば、第１実施形態に係る状態変化通知部４７と第２実施形態に係る状態変化通知部４７Ａを組み合わせる場合、状態変化の検出後かつ固有データを挿入する所定の単位（たとえば１文）の音声読み上げが終わる前において音声読み上げパラメータを変更してもよい。この組み合わせによれば、音声読み上げを中断して固有データを挿入せずに音声読み上げパラメータを変更することで即時的に状態変化があったことをユーザに通知できるとともに、所定の単位の音声読み上げが終わった後には固有データにより状態変化の内容をさらに通知することができるため、ユーザの利便性をより高めることができる。
【０１０１】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【０１０２】
１０  携帯電話機
１１  タッチパネル
１２  レシーバ
１３  スピーカ
１４  マイクロフォン
１５  タッチキー
１６  ハードキー
１７  音出力端子
２１  移動体通信用アンテナ
２２  移動体通信部
２３  無線ＬＡＮ通信用アンテナ
２４  無線ＬＡＮ通信部
２５  記憶部
２６、２６Ａ  主制御部
２７  タイマ
２８  表示部
２９  入力部
３１  カメラ
３２  外部インターフェース
４１、４１Ａ  情報提示制御部
４２  情報取得部
４３  情報抽出部
４４  情報提示部
４５  音声合成部
４６  状態監視部
４７、４７Ａ  状態変化通知部
５１  固有データ取得部
５２  固有データ挿入部
６１  音声パラメータ変更指示部
１０１  電話網
１０２  基地局
１０３  インターネット網
１０４  無線ＬＡＮのＡＰ
１１０  サーバ群
１１１  ウェブサーバ
１１２  メールサーバ
１２０  ヘッドフォン
【図１】
2012003141.tif 000003
【図２】
2012003141.tif 000004
【図３】
2012003141.tif 000005
【図４】
2012003141.tif 000006
【図５】
2012003141.tif 000007
【図６】
2012003141.tif 000008
【図７】
2012003141.tif 000009
【図８】
2012003141.tif 000010